(57)【特許請求の範囲】
【請求項１】
照明装置本体と複数の照明装置取付治具とを備えてなり、
前記照明装置本体は、長物状に形成された基板に複数の発光素子を設けるとともにコネクタケーブルを接続してなる光源ユニットと、前面に光を出射させるライン状の投光開口を有するとともに長物状に形成され、前記光源ユニットを互いの長手方向を合せて一体に保持する筐体とを備え、
前記複数の照明装置取付治具はそれぞれ、前記筐体を嵌合して前記照明装置本体を保持する嵌合保持部を備え、前記照明装置本体の長手方向に間隔をあけて配設され、
前記照明装置取付治具は、弾性変形可能に設けられた一対の保持片からなる前記嵌合保持部と、前記一対の保持片を繋ぐように設けられ、前記照明装置取付治具を所定位置に固定するための固定部とを備えて断面コ字状に形成され、且つ透明又は透光性を有し、
前記固定部は、前記光の出射方向に直交する前記照明装置本体の側方に位置し、
前記固定部と前記照明装置本体との間に空間が形成されており、
前記一対の保持片における一方の保持片は、前記筐体に形成された前記投光開口の反対側の背面に係合するように構成され、
他方の保持片は、前記筐体の前記投光開口に嵌合する係合凸部を有し、
前記一方の保持片には、その先端側に他方の保持片側に突出するとともに、先端面が前記一方の保持片の先端から前記他方の保持片側に向かうに従い漸次前記一方の保持片の後端側に傾斜する係止片が設けられ、
前記他方の保持片には、その先端と後端の中間部に前記一方の保持片側に突出した前記係合凸部と、さらに先端側に先端に向かうに従い漸次前記一方の保持片から離れる方向に傾斜する係止片と、が設けられ、
前記他方の保持片が、前記一方の保持片よりも短く形成されていることを特徴とする照明装置。
【請求項２】
請求項１記載の照明装置において、
前記固定部には、内面から外面に貫通する長孔状の貫通孔が形成されている照明装置。
【請求項３】
請求項１または請求項２に記載の照明装置の取付施工方法であって、
前記複数の照明装置取付治具をそれぞれ所定位置に取り付ける照明装置取付治具設置工程と、
前記照明装置取付治具の嵌合保持部に側方から前記筐体を嵌合させ、前記照明装置本体の両端部に取り付けられた透明又は透光性を有する端部キャップを突合せながら複数の前記照明装置本体を設置する照明装置本体設置工程と、
隣り合う照明装置本体のコネクタケーブルを前記照明装置本体の背面側で接続するコネクタケーブル接続工程とを備えていることを特徴とする照明装置の取付施工方法。
【発明の詳細な説明】
【技術分野】
【０００１】
本発明は、照明装置及び照明装置の取付施工方法に関する。
【背景技術】
【０００２】
従来、外構の階段、デッキ材の幕板などの段差部分にライン状の照明装置を設置して足元を照らすことにより、踏み外しや躓きで通行者、使用者が転倒することを防止するようにしている（例えば、特許文献１参照）。また、足元灯としてだけでなく、見栄えをよくするために照明装置を設置することも多く、門壁などの他の外構にもライン状の照明装置を設置することがある。
【０００３】
また、外構用に限らず、ライン状の照明装置には、複数の発光素子（ＬＥＤ）を長手方向に所定の間隔をあけて配列されたＬＥＤ基板ユニットを備えて構成したものがある。さらに、薄板状のＬＥＤ基板ユニットを軟質アクリル樹脂製の中空チューブ内に挿入配置してなるテープ状の照明装置（テープライト）もある。このような照明装置はシーリング材等で直接階段下などに固着することができ、比較的容易に足元照明などとして用いることができる。
【０００４】
また、ライン状の照明装置は互いの端部同士を連結して複数の照明装置を直線状に繋げることにより、適宜大きな長さのライン照明にも対応できるように構成されている。
【先行技術文献】
【特許文献】
【０００５】
【特許文献１】特開２００８−０５９８１９号公報
【発明の概要】
【発明が解決しようとする課題】
【０００６】
しかしながら、上記のテープライトのような照明装置においては、軟質樹脂製の中空チューブ内にＬＥＤ基板ユニットを挿入配置して構成されているため、設置時に歪みなどが生じ、光に波うちが生じてしまう場合がある。
【０００７】
また、複数の照明装置を連結して大きな長さのライン照明に対応する際に、各照明装置の端部に設けられた端部コネクタによって端部同士を連結するようにしている。このため、端部コネクタによる連結部分で光が僅かながら途切れ、ライン照明の連続性を損なう場合があった。
【０００８】
さらに、階段下やデッキ下等の狭隘部に設置する場合には施工性が悪く、このような狭隘部であっても好適に施工可能にすることが強く望まれていた。
【０００９】
本発明は、上記事情に鑑み、好適なライン照明及び優れた施工性を実現できる照明装置及び照明装置の取付施工方法を提供することを目的とする。
【課題を解決するための手段】
【００１０】
上記の目的を達するために、この発明は以下の手段を提供している。
【００１１】
本発明の照明装置は、照明装置本体と複数の照明装置取付治具とを備えてなり、前記照明装置本体は、長物状に形成された基板に複数の発光素子を設けるとともにコネクタケーブルを接続してなる光源ユニットと、前面に光を出射させるライン状の投光開口を有するとともに長物状に形成され、前記光源ユニットを互いの長手方向を合せて一体に保持する筐体とを備え、前記複数の照明装置取付治具はそれぞれ、前記筐体を嵌合して前記照明装置本体を保持する嵌合保持部を備え、前記照明装置本体の長手方向に間隔をあけて配設され、前記照明装置取付治具は、弾性変形可能に設けられた一対の保持片からなる前記嵌合保持部と、前記一対の保持片を繋ぐように設けられ、前記照明装置取付治具を所定位置に固定するための固定部とを備えて断面コ字状に形成され、且つ透明又は透光性を有し、前記固定部は、前記光の出射方向に直交する前記照明装置本体の側方に位置し、前記固定部と前記照明装置本体との間に空間が形成されており、前記一対の保持片における一方の保持片は、前記筐体に形成された前記投光開口の反対側の背面に係合するように構成され、他方の保持片は、前記筐体の前記投光開口に嵌合する係合凸部を有し、前記一方の保持片には、その先端側に他方の保持片側に突出するとともに、先端面が前記一方の保持片の先端から前記他方の保持片側に向かうに従い漸次前記一方の保持片の後端側に傾斜する係止片が設けられ、前記他方の保持片には、その先端と後端の中間部に前記一方の保持片側に突出した前記係合凸部と、さらに先端側に先端に向かうに従い漸次前記一方の保持片から離れる方向に傾斜する係止片と、が設けられ、前記他方の保持片が、前記一方の保持片よりも短く形成されていることを特徴とする。
【００１２】
また、本発明の照明装置において、前記固定部には、内面から外面に貫通する長孔状の貫通孔が形成されていてもよい。
【００１４】
本発明の照明装置の取付施工方法は、上記の照明装置の取付施工方法であって、前記複数の照明装置取付治具をそれぞれ所定位置に取り付ける照明装置取付治具設置工程と、前記照明装置取付治具の嵌合保持部に側方から前記筐体を嵌合させ、前記照明装置本体の両端部に取り付けられた透明又は透光性を有する端部キャップを突合せながら複数の前記照明装置本体を設置する照明装置本体設置工程と、隣り合う照明装置本体のコネクタケーブルを前記照明装置本体の背面側で接続するコネクタケーブル接続工程とを備えていることを特徴とする。
【発明の効果】
【００１５】
本発明の照明装置及び照明装置の取付施工方法においては、アルミ形材などで形成された筐体の内部に光源ユニットを一体に収容し、適度な剛性を備えて照明装置を構成することができ、その設置時にテープライトのように歪んでしまうことがなく、照明の光に波うちが生じることがない。
【００１６】
また、適度な剛性を備えて照明装置を構成することができるため、階段下やデッキ下等の狭隘部に設置する場合であっても容易に施工を行うことができる。
【００１７】
さらに、筐体の背面側の端部側にケーブル挿通孔が貫通形成されているため、光源ユニットに接続したコネクタケーブル（入力側コネクタケーブル、出力側コネクタケーブル）をケーブル挿通孔を通じて筐体背面側の端部側に延出させることができる。
【００１８】
これにより、複数の照明装置を連結して適宜大きな長さのライン照明に対応する際に、隣り合う一方の照明装置の一端部と、他方の照明装置の他端部とを突き合わせ、一方の照明装置の一端部側の筐体背面側、他方の照明装置の他端部側の筐体背面側にそれぞれ延出した両照明装置の入力側コネクタケーブルと出力側コネクタケーブルを接続することができる。
【００１９】
よって、隣り合う照明装置の端部同士の間にコネクタを配さずに照明装置同士を連結することができ、両照明装置の光が連結する端部同士の間で途切れることがなく、ライン照明の連続性が確保され、見栄えの良い好適な照明を実現することが可能になる。
【図面の簡単な説明】
【００２０】
【図１】本発明の一実施形態に係る照明装置を示す図である。
【図２】本発明の一実施形態に係る照明装置を示す正面図である。
【図３】図２のＸ１−Ｘ１線矢視図である。
【図４】図２のＸ２−Ｘ２線矢視図である。
【図５】本発明の一実施形態に係る照明装置を示す分解斜視図である。
【図６】図２のＸ３−Ｘ３線矢視図である。
【図７】図２のＸ４−Ｘ４線矢視図である。
【図８】図１のＸ１−Ｘ１線矢視図である。
【図９】本発明の一実施形態に係る照明装置取付治具を示す斜視図である。
【図１０】本発明の一実施形態に係る照明装置を連結した状態を示す図である。
【発明を実施するための形態】
【００２１】
以下、図１から図１０を参照し、本発明の一実施形態に係る外構用の照明装置及び照明装置の取付施工方法について説明する。
【００２２】
ここで、本実施形態は、外構の階段、デッキ材の幕板などの段差部分に設置して好適なライン状の照明装置に関するものである。なお、本発明に係る照明装置は、門壁などの他の外構に設置して用いても勿論構わない。また、必ずしもその用途を外構用に限定しなくてもよい。
【００２３】
本発明の照明装置Ａは、図１から図８に示すように、ＬＥＤ基板ユニット（光源ユニット）１と、ＬＥＤ基板ユニット１を保持する筐体２と、端部キャップ３と、端部プレート４と、ケーブルブッシュ５と、コネクタケーブル６と、封止材７と、透光板８と、照明装置取付治具９とを備えて構成されている。
【００２４】
ＬＥＤ基板ユニット１は、図５及び図７、図８に示すように、矩形状の帯状で長物状に形成された基板１ａと、基板１ａの長手方向に所定の間隔をあけて基板１ａに取り付けられた複数の発光素子（ＬＥＤ）１ｂとを備えて形成されている。
【００２５】
また、先端にコネクタ６ａが取り付けられた入力側コネクタケーブル６及び出力側コネクタケーブル６が基板１ａひいては複数の発光素子１ｂに接続され、基板１ａの長手方向一端部側と他端部側から所定の長さで延設されている。
【００２６】
筐体２は、図１、図５から図８に示すように、一対の側部２ａと、一対の側部２ａの端部同士を繋ぎ、筐体２の背面２ｂを形成する連結部２ｃとを備えるとともに前面に光を出射させるライン状の投光開口２ｄを備えて断面略コ字状に形成されている。また、本実施形態の筐体２は、押出成形によって形成されたアルミ形材であり、ＬＥＤ基板ユニット１と略同等の長さで形成されている。
【００２７】
さらに、この筐体２は、一対の側部２ａがそれぞれ、先端に設けられ、幅方向（短手方向）内側に突出する外側係止部２ｅと、高さ方向の所定位置に設けられ、内面から幅方向内側に突出する内側係止部２ｆとを備えて形成されている。
【００２８】
また、筐体２には、連結部２ｃの長手方向両端部側にそれぞれ、内面から外面（背面）に貫通するケーブル挿通孔２ｇが形成されている。
【００２９】
そして、本実施形態の照明装置Ａは、図５及び図７、図８に示すように、両面テープ１１などの光源固定手段を用い、ＬＥＤ基板ユニット１の背面を筐体２の連結部２ｃの内面に固着させ、互いの一端部同士、他端部同士を略同位置となるように位置合わせしつつ、筐体２の内部にＬＥＤ基板ユニット１が配設される。
【００３０】
また、図３、図５、図６、図７、図８に示すように、筐体２の両端部側にそれぞれ形成されたケーブル挿通孔２ｇに係合して重なるようにしながら、筐体２の背面２ｂにケーブルブッシュ５を接着剤などを用いて一体に取り付ける。これとともに、ＬＥＤ基板ユニット１に接続した入力側コネクタケーブル６及び出力側コネクタケーブル６をケーブル挿通孔２ｇを通じて筐体２の背面２ｂ側に延出させ、コネクタ６ａが取り付けられた先端側が所定の長さで筐体２の背面２ｂ側から外側に延出するようにケーブルブッシュ５で位置決め保持させる。
【００３１】
この状態で、筐体２の連結部２ｃから一対の側部２ａに設けられた一対の内側係止部２ｆまでの筐体２の端部開口部を閉塞するように、筐体２の両端部にそれぞれ端部プレート４を係合させて取り付ける。そして、筐体２内の一対の端部プレート４で仕切られた部分に例えば熱硬化性シリコン樹脂などの封止材７を入れ、ＬＥＤ基板ユニット１を封止する。なお、熱硬化性シリコン樹脂などの封止材７は硬化した状態で透明になる。
【００３２】
筐体２内で一体にＬＥＤ基板ユニット１を封止した段階で、例えばアクリル板などの方形状で帯状に形成された透明部材の透光板８を筐体２に取り付ける。このとき、透光板８は筐体２と略同等の長さをもって形成され、筐体２の一端部側から一対の側部２ａの内側係止部２ｆと外側係止部２ｅの間に差し込み、スライド移動させ、筐体２の投光開口２ｄを被覆するように取り付けられる。また、透光板８が位置ずれしないように筐体２の両端部に端部キャップ３を取り付ける。端部キャップ３は透明又は透光性を有するものとする。
【００３３】
そして、上記のようにＬＥＤ基板ユニット１、筐体２、端部キャップ３、端部プレート４、ケーブルブッシュ５、コネクタケーブル６、封止材７、透光板８を一体に組み付けてなる照明装置本体１０を、例えば外構の階段、デッキ材の幕板などの所望の位置に照明装置取付治具９を用いて取り付ける。
【００３４】
本実施形態の照明装置取付治具９は、図８、図９に示すように、所定の間隔をあけて略平行に配置されるとともに弾性変形可能に設けられた一対の保持片９ａ、９ｂ（嵌合保持部１２）と、一対の保持片９ａ、９ｂの後端同士を繋ぎ、平面状の背面を形成するように設けられた固定部９ｃとを備えて断面略コ字状に形成されている。
また、この照明装置取付治具９は透明又は透光性を有するものである。
【００３５】
また、本実施形態において、一方の保持片９ａには、その先端側に他方の保持片９ｂ側に突出するとともに、先端面が一方の保持片９ａの先端から他方の保持片９ｂ側に向かうに従い漸次一方の保持片９ａの後端側に傾斜する係止片９ｄが設けられている。さらに、他方の保持片９ｂには、その先端と後端の中間部に一方の保持片９ａ側に突出して照明装置本体１０の筐体２の投光開口に嵌合する係合凸部９ｆが設けられ、さらに先端側に、先端に向かうに従い漸次一方の保持片から離れる方向に傾斜する係止片９ｇが設けられている。
【００３６】
さらに、固定部９ｃには、内面から外面（背面）に貫通する長孔状（あるいはスリット状）の貫通孔９ｅが形成されている。
【００３７】
この照明装置取付治具９は、図１及び図８、図９に示すように、貫通孔９ｅにビスを挿通させ、外構の階段、デッキ材の幕板などの被取付部に固定部９ｃをビス止めすることによって取り付けられる（照明装置取付治具設置工程）。このとき、貫通孔９ｅが長孔状に形成されているため、長孔状の長さ範囲で取付位置を調整することができる。
【００３８】
そして、本実施形態の照明装置Ａにおいては、所定位置に取り付けた照明装置取付治具９の一対の保持片９ａ、９ｂの間に、一対の保持片９ａ、９ｂの延出方向に長手方向が直交するようにしながら照明装置本体１０（筐体２）を押し込むと、照明装置本体１０の筐体２が保持片９ａの係止片９ｄ、９ｇの先端面を押圧して一対の保持片９ａ、９ｂが互いの間隔を拡げるように弾性変形する。
【００３９】
一対の保持片９ａ、９ｂが弾性変形しつつこれら一対の保持片９ａ、９ｂの間の所定位置に照明装置本体１０が挿入されて筐体２による保持片９ａ、９ｂの押圧状態が解除されると、弾性変形した一対の保持片９ａ、９ｂが元の位置に戻り、照明装置本体１０の筐体２が一方の保持片９ａ、９ｂの係止片９ｄ、９ｇに係止される。これにより、照明装置本体１０が所定の向き、位置で照明装置取付治具９に保持される（照明装置本体設置工程）。
【００４０】
このように設置した照明装置本体１０の入力側コネクタケーブル６と出力側コネクタケーブル６をそれぞれ配線接続することによって、ＬＥＤ基板ユニット１の複数の発光素子１ｂが発光し、透明の封止材７及び透光板８を通じて外側に光が出射され、好適に足元等を照らすことができる。また、照明装置本体１０を保持する照明装置取付治具９が透明又は透光性を有するものであるため、照明装置取付治具９で保持した部分で光が途切れるよなことがない。
【００４１】
また、図１０に示すように、複数の照明装置Ａ（照明装置本体１０）を連結して適宜大きな長さのライン照明に対応する際には、それぞれの照明装置本体１０を照明装置取付治具９で所定位置に取り付けるとともに、一方の照明装置本体１０の端部キャップ３と他方の照明装置本体１０の端部キャップ３を突き合わせる。また、一方の照明装置本体１０の一端部１０ａ側の筐体背面側、他方の照明装置本体１０の他端部１０ｂ側の筐体背面側にそれぞれ延出した両照明装置本体１０の入力側コネクタケーブル６と出力側コネクタケーブル６を照明装置本体１０の背面側で接続する（コネクタケーブル接続工程）。
【００４２】
これにより、隣り合う照明装置本体１０の端部１０ａ、１０ｂ同士の間にコネクタ６ａを配さずに照明装置本体１０同士が連結されることになる。そして、端部キャップ３が透明又は透光性を有するものであるため、両照明装置Ａの光が連結する端部１０ａ、１０ｂ同士の間で途切れることがなく、ライン照明の連続性が確保され、見栄えの良い好適な照明が行える。
【００４３】
したがって、本実施形態の照明装置Ａ及び照明装置Ａの取付施工方法においては、まず、アルミ形材などの筐体２の内部にＬＥＤ基板ユニット（光源ユニット）１を一体に収容し、適度な剛性を備えて照明装置Ａ（照明装置本体１０）を構成することができ、その設置時にテープライトのように歪んでしまうことがなく、照明の光に波うちが生じることがない。
【００４４】
また、適度な剛性を備えて照明装置Ａを構成することができるため、階段下やデッキ下等の狭隘部に設置する場合であっても容易に施工を行うことができる。
【００４５】
さらに、本実施形態のように弾性変形可能な一対の保持片９ａ、９ｂとビス止め用の貫通孔９ｅを備えた固定部９ｃからなる照明装置取付治具９を用いれば、貫通孔９ｅに挿通して固定部９ｃをビス止めして照明装置取付治具９を所望の位置に固定し、この照明装置取付治具９の一対の保持片９ａ、９ｂの間に差し込むだけで、容易に照明装置Ａを設置することができる。これにより、階段下やデッキ下等の狭隘部に設置する場合であってもさらに容易に施工を行うことができる。
【００４６】
また、筐体２の背面２ｂを形成する連結部２ｃの両端部側にそれぞれケーブル挿通孔２ｇが貫通形成され、ＬＥＤ基板ユニット１に接続した入力側コネクタケーブル６と出力側コネクタケーブル６を各ケーブル挿通孔２ｇを通じて筐体背面側の端部側に延出させることができる。
【００４７】
これにより、複数の照明装置Ａを連結して適宜大きな長さのライン照明に対応する際に、隣り合う一方の照明装置の一端部と、他方の照明装置の他端部とを突き合わせ、一方の照明装置の一端部側の筐体背面側、他方の照明装置の他端部側の筐体背面側にそれぞれ延出した両照明装置の入力側コネクタケーブル６と出力側コネクタケーブル６を接続することができる。
【００４８】
よって、隣り合う照明装置Ａの端部同士の間にコネクタ６ａを配さずに照明装置Ａ同士を連結することができ、両照明装置Ａの光が連結する端部同士の間で途切れることがなく、ライン照明の連続性が確保され、見栄えの良い好適な照明を実現することが可能になる。
【００４９】
以上、本発明に係る照明装置及び照明装置の取付施工方法の一実施形態について説明したが、本発明は上記の一実施形態に限定されるものではなく、その趣旨を逸脱しない範囲で適宜変更可能である。
【符号の説明】
【００５０】
１      ＬＥＤ基板ユニット（光源ユニット）
２      筐体
２ａ    側部
２ｂ    背面
２ｃ    連結部
２ｄ    投光開口
２ｅ    外側係止部
２ｆ    内側係止部
２ｇ    ケーブル挿通孔
３      端部キャップ
４      端部プレート
５      ケーブルブッシュ
６      コネクタケーブル
６ａ    コネクタ
７      封止材
８      透光板
９      照明装置取付治具
９ａ    保持片
９ｂ    保持片
９ｃ    固定部
９ｄ    係止片
９ｅ    貫通孔
９ｆ    係合凸部
９ｇ    係止片
１０    照明装置本体
１０ａ  一端部
１０ｂ  他端部
１１    両面テープ
１２    嵌合保持部
Ａ      照明装置
【図１】
0006708413.tif 000002
【図２】
0006708413.tif 000003
【図３】
0006708413.tif 000004
【図４】
0006708413.tif 000005
【図５】
0006708413.tif 000006
【図６】
0006708413.tif 000007
【図７】
0006708413.tif 000008
【図８】
0006708413.tif 000009
【図９】
0006708413.tif 000010
【図１０】
0006708413.tif 000011